(57)【要約】【課題】中古の遊技機を流通する際に発生する点検作業や移動申請に係る事務処理を効率的で透明性のあるものにする中古遊技機流通方法及び中古遊技機流通システムを提供する。【解決手段】中古遊技機の移動申請をする際の点検時及び中古遊技機の納品の際の点検時には、ハンディーターミナル３０で、遊技機固有識別媒体、取扱主任者固有識別媒体の読み取りを行う。読み取られたデータは携帯電話２０を用いて、中古遊技機管理サーバ７０に向け発信されるが、このデータには、さらに携帯電話会社運営サーバ８０から得られる携帯電話２０の発信位置に係るデータも付加される。中古遊技機管理サーバ７０で蓄積されたデータは、組合５０や中古遊技機販売業者６０に設置された中古遊技機管理用コンピュータ端末にダウンロードされ、移動申請書類の作成等に供される。【選択図】      図６
2007111299.tif 000002
【特許請求の範囲】
【請求項１】
中古遊技機の移動申請処理を行うための中古遊技機管理方法において、
一つ一つの遊技機に対して、当該遊技機固有の情報が記録された遊技機固有識別媒体を付するステップと、
一人一人の遊技機取扱主任者に対して、当該遊技機取扱主任者固有の情報が記録された取扱主任者固有識別媒体を配布するステップと、
該遊技機固有識別媒体及び該取扱主任者固有識別媒体の双方を読み取ることができるハンディーターミナルを用意するステップと、
中古遊技機の移動申請をする際の点検時及び中古遊技機の納品の際の点検時には、該ハンディーターミナルにより、該取扱主任者固有識別媒体及び該遊技機固有識別媒体を読み取るステップと、
該ハンディーターミナルにより読み取られた該取扱主任者固有識別媒体に係る情報及び該遊技機固有識別媒体に係る情報を携帯電話により中古遊技機管理サーバに送信するステップと、を備えることを特徴とする中古遊技機管理方法。
【請求項２】
該中古遊技機管理サーバは、該取扱主任者固有識別媒体に係る情報及び該遊技機固有識別媒体に係る情報が送信された該携帯電話の発信場所に係る情報を、該携帯電話を運営する業者から取得するステップをさらに備えることを特徴とする請求項１に記載の中古遊技機管理方法。
【請求項３】
該携帯電話により該中古遊技機管理サーバに送信された該取扱主任者固有識別媒体に係る情報及び該遊技機固有識別媒体に係る情報に基づいて、中古遊技機の移動申請を行うための書類を作成するステップをさらに備えることを特徴とする請求項１又は請求項２に記載の中古遊技機移動申請方法。
【請求項４】
該携帯電話により該中古遊技機管理サーバに送信された該取扱主任者固有識別媒体に係る情報及び該遊技機固有識別媒体に係る情報に基づいて、帳票を作成するステップをさらに備えることを特徴とする請求項１乃至請求項３のいずれかに記載の中古遊技機管理方法。
【請求項５】
該遊技機固有の情報は、当該遊技機の製造番号であることを特徴とする請求項１乃至請求項４のいずれかに記載の中古遊技機管理方法。
【請求項６】
該固有識別媒体は二次元バーコードであることを特徴とする請求項１乃至請求項５のいずれかに記載の中古遊技機管理方法。
【請求項７】
該中古遊技機管理サーバのデータには、中古遊技機販売業者が制限付きでアクセス可能であることを特徴とする請求項１乃至請求項６のいずれかに記載の中古遊技機管理方法。
【請求項８】
該中古遊技機管理サーバのデータには、組合の事務局が制限なくアクセス可能であることを特徴とする請求項１乃至請求項７のいずれかに記載の中古遊技機管理方法。
【請求項９】
中古遊技機の移動申請処理を行うための中古遊技機管理システムにおいて、
一つ一つの遊技機に対して、当該遊技機固有の情報が記録された遊技機固有識別媒体、及び、一人一人の遊技機取扱主任者に対して、当該遊技機取扱主任者固有の情報が記録された取扱主任者固有識別媒体の双方を読み取ることができるハンディーターミナルと、
該ハンディーターミナルにより読み取られた該取扱主任者固有識別媒体に係る情報及び該遊技機固有識別媒体に係る情報を送信する携帯電話と、
該携帯電話により送信された該取扱主任者固有識別媒体に係る情報及び該遊技機固有識別媒体に係る情報を受信し蓄積する中古遊技機管理サーバと、
該中古遊技機管理サーバに蓄積された該取扱主任者固有識別媒体に係る情報及び該遊技機固有識別媒体に係る情報をダウンロードする中古遊技機管理用コンピュータ端末と、
から成ることを特徴とする中古遊技機管理システム。
【請求項１０】
該中古遊技機管理サーバは、該取扱主任者固有識別媒体に係る情報及び該遊技機固有識別媒体に係る情報を送信した該携帯電話の発信場所に係る情報を、該携帯電話を運営する業者から取得することを特徴とする請求項９に記載の中古遊技機管理システム。
【請求項１１】
該中古遊技機管理用コンピュータ端末には、ダウンロードした該取扱主任者固有識別媒体に係る情報及び該遊技機固有識別媒体に係る情報に基づいて、中古遊技機の移動申請を行うための書類を作成する手段が設けられていることを特徴とする請求項９又は請求項１０に記載の中古遊技機管理システム。
【請求項１２】
該中古遊技機管理用コンピュータ端末には、ダウンロードした該取扱主任者固有識別媒体に係る情報及び該遊技機固有識別媒体に係る情報に基づいて、帳票を作成する手段が設けられていることを特徴とする請求項９乃至請求項１１のいずれかに記載の中古遊技機管理システム。
【請求項１３】
該遊技機固有の情報は、当該遊技機の製造番号であることを特徴とする請求項９乃至請求項１２のいずれかに記載の中古遊技機管理システム。
【請求項１４】
該固有識別媒体は二次元バーコードであることを特徴とする請求項９乃至請求項１３のいずれかに記載の中古遊技機管理システム。
【請求項１５】
該中古遊技機管理サーバのデータには、中古遊技機販売業者が制限付きでアクセス可能であることを特徴とする請求項９乃至請求項１４のいずれかに記載の中古遊技機管理システム。
【請求項１６】
該中古遊技機管理サーバのデータには、組合の事務局が制限なくアクセス可能であることを特徴とする請求項９乃至請求項１５のいずれかに記載の中古遊技機管理システム。
【発明の詳細な説明】
【技術分野】
【０００１】
本発明は、中古の遊技機を流通する際に発生する点検作業や移動申請に係る事務処理を効率的で透明性のあるものにする中古遊技機流通方法及び中古遊技機流通システムに関する。
【背景技術】
【０００２】
パチンコ機やスロットマシン等の遊技機の遊技の場を提供するパチンコホール等の遊技店の多くは、顧客をつなぎとめるため、そして新規顧客の獲得のため、適宜新型の遊技機への入れ替えを行っている。このような遊技機の入れ替えに伴い発生する旧型の遊技機は、廃棄処分に回されるものもあるが、中古市場において流通させて、他のパチンコホール等で利用されるものもある。
【０００３】
最近の傾向として、パチンコ機やスロットマシン等の遊技機は人気機種、不人気機種等の入れ代わりが激しい。そのために、パチンコホール等の遊技店は遊技機の入れ替えを盛んに行わざるを得ない状況となっている。このような状況のため、新型の遊技機に加えて、中古機種の流通も非常に活発であり、中古遊技機の効率的な流通システムの構築が求められている。
【０００４】
このような遊技機の流通システムとして、特許文献１（特開２００４−１２９９６３号公報）には、入力手段、制御手段、表示手段、出力手段、記憶手段等を備えるコンピュータ等の端末装置からインターネットに代表される通信手段を介してアクセス可能に備えられ、データ処理を行うサーバーシステムであって、遊技機販売会社に関するデータを記憶する販売会社情報記憶手段と、販売会社が登録するデータを受信する情報受信者に関するデータを記憶する受信者情報記憶手段と、通信手段を介した端末装置からのアクセスを認証する認証手段と、販売会社が備える端末装置から売買情報を登録する売買情報登録手段と、登録された販売会社情報および売買情報を、通信手段を介して情報受信者が備える端末装置から閲覧可能に表示させる情報表示手段と、登録された売買情報を情報受信者に対し配信する売買情報配信手段と、販売会社情報および売買情報の登録期間を含む掲載条件に従い、遊技機販売会社に対する課金情報を管理する課金情報記憶手段とを備え、前記の売買情報の配信は、配信を行う売買情報配信手段の種類ごとに定める所定期間ごとに行われ、閲覧・配信可能な情報の登録に応じ遊技機販売会社に対する課金処理が行われることを特徴とする、遊技機売買情報の仲介システムが記載されている。
【特許文献１】特開２００４−１２９９６３号公報
【発明の開示】
【発明が解決しようとする課題】
【０００５】
特許文献１に記載されているシステムは、インターネット等の通信手段を利用し、中古の遊技機の売買を効率化したものであるが、中古の遊技機の売買に伴い発生する点検作業や事務処理の効率化についてまで考慮されたものではない。
【０００６】
一般的に、中古遊技機販売業者が中古遊技機を販売（同一経営母体によるホール間の移動等も含む）する為には、行政による許可を得なくてはならない。この許可を得る為には、まず中古遊技機販売業者は、中古機移動申請書類を自らが加盟する組合に対して提出する。次に、この組合の事務局は、中古遊技機販売業者から提出された中古機移動申請書類を受領し、変更承認申請書類を作成する。中古遊技機販売業者は、この変更承認申請書類を行政に提出し、許可を得る、という仕組み（フロー）となっている。特許文献１に記載のシステムでは、このような仕組み（フロー）に対する考慮が成されていないわけである。
【０００７】
また、中古遊技機の移動や移動先ホールへの設置作業自体は、新台のそれと基本的に変わりないが、基板の不正交換や改ざん等の防止対策の点でみた場合、新台の完璧さに比べて中古遊技機の不十分さは否めない。新台の場合、その遊技機の市場イメージ低下（言い換えれば、メーカーの信頼性低下）を回避するために、出荷から設置に至るまでの間、もっぱらメーカー主導による強固なガードが講じられているものの、中古遊技機の場合はその多くがメーカー以外の専門業者（中古遊技機販売業者）の手によって輸送や設置などが行われており、かかる中古遊技機販売業者にメーカーと同じレベルの責任感を期待することは難しいからである。
【０００８】
このように新台に比べて不正改造等の可能性を否定しきれない中古遊技機の存在は、業界への不信感にもつながりかねないので、何らかの対策を講じる必要がある。
【０００９】
具体的には、中古遊技機が行政で指導されているとおりの真正な手続きやフローでもって流通していることを保証するような流通システムの構築が不可欠である。個々の必要な対策をみていくと、中古遊技機の移動申請をする際の点検時及び中古遊技機の納品の際の点検時には、真正な遊技機取扱主任者によって点検作業が成されていることや、中古遊技機の販売元であるホール（或いは、中古遊戯機販売者の倉庫等）から購入先のホールへと中古遊技機が間違いなく移動していることを保証するようなことなど挙げられる。
【課題を解決するための手段】
【００１０】
上記課題を解決するために、請求項１に係る本発明は、中古遊技機の移動申請処理を行うための中古遊技機管理方法において、一つ一つの遊技機に対して、当該遊技機固有の情報が記録された遊技機固有識別媒体を付するステップと、一人一人の遊技機取扱主任者に対して、当該遊技機取扱主任者固有の情報が記録された取扱主任者固有識別媒体を配布するステップと、該遊技機固有識別媒体及び該取扱主任者固有識別媒体の双方を読み取ることができるハンディーターミナルを用意するステップと、中古遊技機の移動申請をする際の点検時及び中古遊技機の納品の際の点検時には、該ハンディーターミナルにより、該取扱主任者固有識別媒体及び該遊技機固有識別媒体を読み取るステップと、該ハンディーターミナルにより読み取られた該取扱主任者固有識別媒体に係る情報及び該遊技機固有識別媒体に係る情報を携帯電話により中古遊技機管理サーバに送信するステップと、を備えることを特徴とする。
【００１１】
また、請求項２に係る発明は、請求項１に記載の中古遊技機管理方法において、該中古遊技機管理サーバは、該取扱主任者固有識別媒体に係る情報及び該遊技機固有識別媒体に係る情報が送信された該携帯電話の発信場所に係る情報を、該携帯電話を運営する業者から取得するステップをさらに備えることを特徴とする。
【００１２】
また、請求項３に係る発明は、請求項１又は請求項２に記載の中古遊技機移動申請方法において、該携帯電話により該中古遊技機管理サーバに送信された該取扱主任者固有識別媒体に係る情報及び該遊技機固有識別媒体に係る情報に基づいて、中古遊技機の移動申請を行うための書類を作成するステップをさらに備えることを特徴とする。
【００１３】
また、請求項４に係る発明は、請求項１乃至請求項３のいずれかに記載の中古遊技機管理方法において、該携帯電話により該中古遊技機管理サーバに送信された該取扱主任者固有識別媒体に係る情報及び該遊技機固有識別媒体に係る情報に基づいて、帳票を作成するステップをさらに備えることを特徴とする。
【００１４】
また、請求項５に係る発明は、請求項１乃至請求項４のいずれかに記載の中古遊技機管理方法において、該遊技機固有の情報は、当該遊技機の製造番号であることを特徴とする。
【００１５】
また、請求項６に係る発明は、請求項１乃至請求項５のいずれかに記載の中古遊技機管理方法において、該固有識別媒体は二次元バーコードであることを特徴とする。
【００１６】
また、請求項７に係る発明は、請求項１乃至請求項６のいずれかに記載の中古遊技機管理方法において、該中古遊技機管理サーバのデータには、中古遊技機販売業者が制限付きでアクセス可能であることを特徴とする。
【００１７】
また、請求項８に係る発明は、請求項１乃至請求項７のいずれかに記載の中古遊技機管理方法において、該中古遊技機管理サーバのデータには、組合の事務局が制限なくアクセス可能であることを特徴とする。
【００１８】
また、請求項９に係る発明は、中古遊技機の移動申請処理を行うための中古遊技機管理システムにおいて、一つ一つの遊技機に対して、当該遊技機固有の情報が記録された遊技機固有識別媒体、及び、一人一人の遊技機取扱主任者に対して、当該遊技機取扱主任者固有の情報が記録された取扱主任者固有識別媒体の双方を読み取ることができるハンディーターミナルと、該ハンディーターミナルにより読み取られた該取扱主任者固有識別媒体に係る情報及び該遊技機固有識別媒体に係る情報を送信する携帯電話と、該携帯電話により送信された該取扱主任者固有識別媒体に係る情報及び該遊技機固有識別媒体に係る情報を受信し蓄積する中古遊技機管理サーバと、該中古遊技機管理サーバに蓄積された該取扱主任者固有識別媒体に係る情報及び該遊技機固有識別媒体に係る情報をダウンロードする中古遊技機管理用コンピュータ端末と、から成ることを特徴とする。
【００１９】
また、請求項１０に係る発明は、請求項９に記載の中古遊技機管理システムにおいて、該中古遊技機管理サーバは、該取扱主任者固有識別媒体に係る情報及び該遊技機固有識別媒体に係る情報を送信した該携帯電話の発信場所に係る情報を、該携帯電話を運営する業者から取得することを特徴とする。
【００２０】
また、請求項１１に係る発明は、請求項９又は請求項１０に記載の中古遊技機管理システムにおいて、該中古遊技機管理用コンピュータ端末には、ダウンロードした該取扱主任者固有識別媒体に係る情報及び該遊技機固有識別媒体に係る情報に基づいて、中古遊技機の移動申請を行うための書類を作成する手段が設けられていることを特徴とする。
【００２１】
また、請求項１２に係る発明は、請求項９乃至請求項１１のいずれかに記載の中古遊技機管理システムにおいて、該中古遊技機管理用コンピュータ端末には、ダウンロードした該取扱主任者固有識別媒体に係る情報及び該遊技機固有識別媒体に係る情報に基づいて、帳票を作成する手段が設けられていることを特徴とする。
【００２２】
また、請求項１３に係る発明は、請求項９乃至請求項１２のいずれかに記載の中古遊技機管理システムにおいて、該遊技機固有の情報は、当該遊技機の製造番号であることを特徴とする。
【００２３】
また、請求項１４に係る発明は、請求項９乃至請求項１３のいずれかに記載の中古遊技機管理システムにおいて、該固有識別媒体は二次元バーコードであることを特徴とする。
【００２４】
また、請求項１５に係る発明は、請求項９乃至請求項１４のいずれかに記載の中古遊技機管理システムにおいて、該中古遊技機管理サーバのデータには、中古遊技機販売業者が制限付きでアクセス可能であることを特徴とする。
【００２５】
また、請求項１６に係る発明は、請求項９乃至請求項１５のいずれかに記載の中古遊技機管理システムにおいて、該中古遊技機管理サーバのデータには、組合の事務局が制限なくアクセス可能であることを特徴とする。
【発明の効果】
【００２６】
請求項１に係る発明によれば、遊技機取扱主任者に対して付与された取扱主任者固有識別媒体を用いるので、真正な遊技機取扱主任者によって点検作業が確実に成されることが保証される。また、遊技機に固有の遊技機固有識別媒体を用い、さらに固有識別媒体の読み取りをハンディーターミナルによる読み取りとするため、今まで製造番号確認に追われていた点検確認作業において、よりセキュリティに徹した点検確認作業が可能となる。また、点検確認と納品確認について必ず、中古遊技機の実機にハンディーターミナルを使用してデータ読み取りしなければならないシステムとなるため、確実な点検確認の実施を証明付けるシステムとして、行政に対する信頼を具体的な形として立証できる。
【００２７】
また、請求項２に係る発明によれば、真正な遊技機取扱主任者が予定通りの点検場所で、点検作業を行っていることが保証されるため、中古遊技機売買に関連する不正等を防止することができる。
【００２８】
また、請求項３に係る発明によれば、行政に対して提出する中古遊技機を移動申請するための書類が簡便に作成可能となる。
【００２９】
また、請求項４に係る発明によれば、中古遊技機販売業者が在庫管理等を行うのに便利である。
【００３０】
また、請求項５に係る発明によれば、中古遊技機の移動申請事務は、遊技機の製造番号に基づいて行われるので、移動申請事務負担が軽減される。
【００３１】
また、請求項６に係る発明によれば、二次元バーコードを用いることにより、迅速かつ正確な中古遊技機の流通管理体制を構築すると共に、中古遊技機販売業者の書類業務の軽減化や円滑な処理ができるようになる。
【００３２】
また、請求項７に係る発明によれば、中古遊技機管理サーバのデータには、複数の中古遊技機販売業者がアクセスすることが想定されているので、個々の中古遊技機販売業者が自らの業務に係るデータしか参照できないようになる。
【００３３】
また、請求項８に係る発明によれば、組合として、当該組合に所属する各中古遊技機販売業者の動向につき注意を払うことができる。
【００３４】
また、請求項９に係る発明によれば、遊技機取扱主任者に対して付与された取扱主任者固有識別媒体を用いるので、真正な遊技機取扱主任者によって点検作業が確実に成されることが保証される。また、遊技機に固有の遊技機固有識別媒体を用い、さらに固有識別媒体の読み取りをハンディーターミナルによる読み取りとするため、今まで製造番号確認に追われていた点検確認作業において、よりセキュリティに徹した点検確認作業が可能となる。また、点検確認と納品確認について必ず、中古遊技機の実機にハンディーターミナルを使用してデータ読み取りしなければならないシステムとなるため、確実な点検確認の実施を証明付けるシステムとして、行政に対する信頼を具体的な形として立証できる。
【００３５】
また、請求項１０に係る発明によれば、真正な遊技機取扱主任者が予定通りの点検場所で、点検作業を行っていることが保証されるため、中古遊技機売買に関連する不正等を防止することができる。
【００３６】
また、請求項１１に係る発明によれば、行政に対して提出する中古遊技機を移動申請するための書類が簡便に作成可能となる。
【００３７】
また、請求項１２に係る発明によれば、中古遊技機販売業者が在庫管理等を行うのに便利である。
【００３８】
また、請求項１３に係る発明によれば、中古遊技機の移動申請事務は、遊技機の製造番号に基づいて行われるので、移動申請事務負担が軽減される。
【００３９】
また、請求項１４に係る発明によれば、二次元バーコードを用いたシステムにより、迅速かつ正確な中古遊技機の流通管理体制を構築すると共に、中古遊技機販売業者の書類業務の軽減化や円滑な処理ができるようになる。
【００４０】
また、請求項１５に係る発明によれば、中古遊技機管理サーバのデータには、複数の中古遊技機販売業者がアクセスすることが想定されているので、個々の中古遊技機販売業者が自らの業務に係るデータしか参照できないようになる。
【００４１】
また、請求項１６に係る発明によれば、組合として、当該組合に所属する各中古遊技機販売業者の動向につき注意を払うことができる。
【発明を実施するための最良の形態】
【００４２】
以下、本発明の実施の形態を図面を参照しつつ説明する。図１は、遊技機の流通に関するフロー及び事務処理を示すものである。図１において示されている主体は、それぞれパチンコなどの遊技機を製造する「遊技機製造者」、遊技機の遊技の場を提供するパチンコホール等の「遊技店Ａ」及び「遊技店Ｂ」、遊技機を廃棄処理する「リサイクル業者」、遊技店間等で中古の遊技機の買い入れ・販売等を業とする「中古遊技機販売業者」、中古遊技機販売業者が加盟する組合の「組合事務局」、遊技店が営業する地域を所轄する「所轄警察署」（行政）である。
【００４３】
以下具体例に則しつつ、遊技機の流通に関するフロー及び事務処理を示す。この例では、中古遊技機販売業者が遊技店Ａから中古遊技機を買い入れ、買い入れた中古遊技機を遊技店Ｂに販売する場合につき説明する。なお、遊技店Ａと遊技店Ｂとの経営が同一である場合についても、本例と同一のフロー及び事務処理を得なくてはならない規則となっている。
【００４４】
以下、図１中の番号を参照しつつ説明する。遊技店Ａは、店内の入れ替えのため、新台として遊技機を製造業者から購入（１）した際、不要となった中古遊技機を処分するが、このような中古遊技機は廃棄台としてリサイクル処理に回される（２）か、中古遊技機販売業者に転売される（３）。中古遊技機販売業者に転売される際には、遊技機取扱主任者が中古遊技機として移動する遊技機を点検確認する。この点検確認作業の内容は、中古遊技機を移動申請を行う際に用いられる。
【００４５】
中古遊技機販売業者は、遊技店Ａから買い入れた中古遊技機を、中古遊技機を遊技店Ｂに販売することとしたが、この際には、まず中古遊技機販売業者は、先の点検確認作業の内容が反映された中古機移動申請書類を組合に対して提出する（４）。組合の事務局は、中古遊技機販売業者から提出された中古機移動申請書類を受領し、これに基づき審査・登録業務を経て、変更承認申請書類を作成し、この変更承認申請書類を中古遊技機販売業者に発給する（５）。
【００４６】
中古遊技機販売業者は、組合が発給したこの変更承認申請書類を、中古遊技機を購入しようとしている遊技店Ｂに回す（７）。遊技店Ｂは、購入した中古遊技機の設置の許可を得るために、この変更承認申請書類を所轄の警察署に提出する（８）。
【００４７】
一方、中古遊技機は中古遊技機販売業者から遊技店Ｂに搬送される（６）。遊技店Ｂに納入された中古遊技機は、遊技機取扱主任者が点検確認を行う。この中古遊技機の納品の際の点検作業の内容も、納品確認書等の書類に反映され、行政に提出される。
【００４８】
中古遊技機を購入した遊技店Ｂは、所轄の警察署より実地検査（９）を受け、これにより適正であると認定されれば、営業許可が発行され、中古遊技機により営業を行うことができる。
【００４９】
以上のように、中古遊技機を移動するに際しては、中古遊技機の移動申請をする際の点検及び中古遊技機の納品の際の点検の２回の点検結果を反映した書類を行政に提出する必要がある。
【００５０】
ところで、２００３年より、遊技機には、ＱＲコードによる二次元バーコードを用いた製造番号シールの貼着がされるようになっている。これは、遊技機に貼付された二次元バーコードを専用端末で読み取り管理することで、迅速かつ正確な流通や不正防止対策を目指すものとなっており、従来に比べて飛躍的な遊技機の管理向上に献身している。図２に、ＱＲコードが貼付された遊技機を示す。この図では、象徴的に遊技機にＱＲコードが貼付されているが、実際のＱＲコードは、遊技機の遊技盤、遊技盤の枠、遊技機を電子制御するための主基板に設けられている。
【００５１】
このようなＱＲコード等の二次元バーコードは、専用端末で読み取ることにより、迅速かつ正確な流通管理や不正防止対策を目指すものでる。本発明では、このようなＱＲコードを利用して中古遊技機の流通を管理しようとするものである。
【００５２】
なお、ＱＲコードとは、Ｑｕｉｃｋ  Ｒｅｓｐｏｎｓｅ  Ｃｏｄｅの略でバーコードの進化型の二次元バーコードである。バーコードが英数字２０文字の情報だったのに対して、ＱＲコードは英数字以外にカナ、漢字も使用することができ、最大約２０００文字の情報を扱うことができる。また、傷や汚れにも強く汎用性が高い。２００３年より、遊技機の製造番号を、このようなＱＲコードにコード化し、製造番号シールとして遊技機に貼付するようになっているわけである。
【００５３】
本発明においては、このようなＱＲコードを、中古遊技機の移動申請をする際の点検及び中古遊技機の納品の際の点検を行う遊技機取扱主任者に対しても発行する。すなわち、一人一人の遊技機取扱主任者に対してそれぞれ固有のＩＤ番号を付与し、ＱＲコードを発行するものである。図３には、遊技機取扱主任者に対して発行される身分証明書を示す。この身分証明書のサイズは、通常のクレジットカードなどとほぼ同様のものであり、身分証明書には、それぞれの遊技機取扱主任者の名前、遊技機取扱主任者もそれぞれに付与された固有のＩＤ番号、遊技機取扱主任者の名前及び当該ＩＤ番号等に係る情報が記録されたＱＲコードが記載されている。
【００５４】
このような遊技機に貼付されたＱＲコード及び遊技機取扱主任者に発行された身分証明書のＱＲコードはハンディーターミナル３０で、それらのコードに記録された情報を読み取ることができる。図４に、このようなＱＲコードを読み取るためのハンディーターミナル３０を示す。ハンディーターミナル３０は読み取ったデータを保存し、さらにこのデータを有線方式或いは無線方式で、パーソナルコンピュータやプリンタ、携帯電話などの他の情報処理機器に転送することができるようになっている。今まで製造番号確認に追われていた点検確認作業において、番号読み取りがハンディーターミナル３０による読み取りとなるため、よりセキュリティに徹した点検確認作業が可能となる。また、点検確認と納品確認について必ず、中古遊技機の実機にハンディーターミナル３０を使用してデータ読み取りしなければならないシステムとなるため、確実な点検確認の実施を証明付けるシステムとして、行政に対する信頼を具体的な形として立証できる。また、ハンディーターミナル３０の使用により点検確認を徹底するという、本来の中古遊技機流通の基本に還り、確認作業の向上を図ることで不正機の排除に大きく貢献できる。
【００５５】
次に、このようなＱＲコードとハンディーターミナル３０を用いて、遊技機取扱主任者が具体的にどのように点検確認作業を行うかについて説明する。図5は、中古遊技機の点検確認作業の手順を図示したものである。なお、中古遊技機の移動申請をする際の点検及び中古遊技機の納品の際の点検ともに作業手順としては同じものである。
【００５６】
まず、（ａ）点検時には、真正な作業者であることの確認のために、ハンディーターミナル３０により、中古遊技機取扱主任者に配布されるＱＲコード付きの身分証明書を読み取る。次に、（ｂ）同じハンディーターミナル３０を用いて、一台一台の中古遊技機を点検しながら、中古遊技機のＱＲコード（製造番号）を読み取っていく。遊技機には、実際には前述したとおり３つのＱＲコードが付されており、１台の中古遊技機につき３つのＱＲコード（遊技機の遊技盤に貼付されたＱＲコード、遊技機の遊技枠に貼付されたＱＲコード、遊技機の主基板に貼付されたＱＲコード）の読み取りを行う。以上の手順により、ハンディーターミナル３０には、中古遊技機取扱主任者のＱＲコード、点検確認した全ての中古遊技機のＱＲコード（遊技機の遊技盤、遊技機の遊技枠、遊技機の主基板）のデータがストアされるわけである。次に、（ｃ）ハンディーターミナル３０から携帯電話２０を介して読み取ったデータを後述する専用のサーバへ送信する。
【００５７】
次に、このサーバを含めたシステム全体について説明する。図６は、本発明の中古遊技機流通システム１００の概要を模式的に示したものである。図６に示すように、組合５０に配置されたコンピュータ端末（中古遊技機管理用コンピュータ端末）５１、中古遊技機販売業者６０に配置されたコンピュータ端末（中古遊技機管理用コンピュータ端末）６１、中古遊技機管理サーバ７０、携帯電話会社運営サーバ８０の各々が、インターネットやＬＡＮ等を含む有線又は無線のネットワーク１０を介して相互に通信可能に接続されている。コンピュータ端末（中古遊技機管理用コンピュータ端末）５１、コンピュータ端末（中古遊技機管理用コンピュータ端末）６１からはログインにより中古遊技機管理サーバ７０に対してアクセス可能に構成されている。
【００５８】
それぞれのコンピュータ、サーバは、コンピュータ本体とＣＲＴディスプレイ、液晶ディスプレイなどの表示手段とキーボード、マウスなどの入力手段とを備えたパーソナルコンピュータなどで構成されている。また、それぞれのコンピュータ、サーバには、必要に応じて、プリンタなどの出力手段が接続されており、コンピュータ、サーバに記憶されているデータを印刷出力できるように構成されている。
【００５９】
図6で、遊技店Ａにおいて、中古遊技機の点検作業終了後、ハンディーターミナル３０から携帯電話２０を介して読み取ったデータＡを中古遊技機管理サーバ７０に向けて送信する。このとき、携帯電話会社が運営するサーバ８０は、データＡが発信された場所に係る位置情報も取得する。データＡは、まず携帯電話会社が運営するサーバ８０を介してから、中古遊技機管理サーバ７０に送信されるが、携帯電話会社運営するサーバ８０は、データＡを中古遊技機管理サーバ７０に向けて送信する際には、データＡが発信された場所に係る位置情報もデータＡと一緒に送信するように設定されている。遊技店Ｂにおける、中古遊技機の納品の際の点検に係るデータＢについても同様なデータの流れとなる。
【００６０】
なお、携帯電話会社が運営するサーバ８０が、データ発信された場所に係る位置情報を取得するための方法としては、携帯電話と交信した基地局により携帯電話の位置を特定する方法や携帯電話に内蔵されたＧＰＳにより携帯電話の位置を特定する方法などがある。このように本発明では、点検場所に係るデータが中古遊技機管理サーバ７０に報知されるシステムとなっており、真正な遊技機取扱主任者が予定通りの点検場所で、点検作業を行っていることが保証されるので、中古遊技機売買に関連する不正等を防止することができる。
【００６１】
中古遊技機管理サーバ７０は、前述のように遊技機取扱主任者が中古遊技機の点検作業により得たデータを、携帯電話会社運営サーバ８０を介し収集、蓄積し、蓄積されたデータを、組合コンピュータ端末５１、中古遊技機販売業者コンピュータ端末６１から適宜参照できるように構成されている。中古遊技機管理サーバ７０が収集するデータは「点検作業日時」、「作業者（遊技機取扱主任者）名」、「点検作業された遊技機の製造番号」、「作業場所」のデータ構造を持つものである。
【００６２】
組合５０に設置されている組合コンピュータ端末（中古遊技機管理用コンピュータ端末）５１からは、中古遊技機管理サーバ７０の全てのデータを参照できるようになっているが、個々の中古遊技機販売業者６０に設置されている中古遊技機販売業者コンピュータ端末（中古遊技機管理用コンピュータ端末）６１からは、中古遊技機管理サーバ７０で参照可能なデータは制限されている。すなわち、中古遊技機管理サーバ７０には、複数の中古遊技機販売業者６０がアクセスすることが想定されているので、個々の中古遊技機販売業者６０自らの業務に係るデータしか参照できないようになっている。組合コンピュータ端末（中古遊技機管理用コンピュータ端末）５１からは、中古遊技機管理サーバ７０の全てのデータを参照できるようになっているので、組合５０として、所属する各中古遊技機販売業者６０の動向につき注意を払うことができる。
【００６３】
中古遊技機販売業者６０に設置されている中古遊技機販売業者コンピュータ端末（中古遊技機管理用コンピュータ端末）６１は、自社が扱った点検確認作業のデータを中古遊技機管理サーバ７０からダウンロードすることができるように設定されている。このようにしてダウンロードされたデータに基づいて、中古遊技機の移動申請書等の書類を作成する。すわなち、中古機移動申請書類の作成にあたり、中古遊技機の製造番号の入力、取扱主任者名、点検確認日のデータが一括取り込み可能となり、中古機移動申請書類の作成を素早く行うことができる。また、中古遊技機販売業者コンピュータ端末（中古遊技機管理用コンピュータ端末）６１には、ダウンロードされたデータをＣＳＶファイル化する機能も設けられている。このため、中古遊技機販売業者６０は、自社の営業において必要となる帳票類の作成が簡単にできるようになり、書類作成の負担の軽減及びスピードアップを図ることができる。また、このようなＣＳＶファイルを活用すれば、遠隔地の倉庫等にある在庫を本社のコンピュータで管理することもできる。従って、営業要員は、携帯端末などで本社のコンピュータにアクセスすることによって、営業先での確認作業が瞬時に可能となる。以上のようなシステムによれば、書類作成業務の簡素化と点検確認の遵守、そして将来的には中古遊技機の廃棄処理伝票への応用にも幅を広げることが期待できる。
【００６４】
以上のような機能を実現させるための具体的なシステム構成を説明する。図7には、本発明に係る中古遊技機管理システムの中古遊技機管理サーバ７０のシステム構成主要部を示す。中古遊技機管理サーバ７０は、中古遊技機管理用コンピュータ端末５１、６１からのログインに対してアクセスを許可するかどうかを判断するアクセス許可手段７１、携帯電話会社運営サーバ８０から「点検作業日時」、「作業者（遊技機取扱主任者）名」、「点検作業された遊技機の製造番号」、「作業場所」に係るデータを取得するデータ収集手段７２、収集したデータを記憶・蓄積する記憶手段７４、ログインしてきた中古遊技機管理用コンピュータ端末５１、６１からの要求に応じて、記憶手段７４に記憶・蓄積されたデータを送信するデータ送信手段７３からなる。
【００６５】
図８に、本発明に係る中古遊技機管理システムの中古遊技機管理用コンピュータ端末６１のシステム構成主要部を示す。図8に示すシステム構成は、中古遊技機販売業者コンピュータ端末のものであるが、組合コンピュータ端末のシステム構成も同様である。ただ、前述したように中古遊技機販売業者コンピュータ端末は、組合コンピュータ端末に比べてダウンロード可能なデータに制限がある。
【００６６】
中古遊技機管理用コンピュータ端末６１は、中古遊技機管理サーバ７０に対してアクセス許可を要求するログイン手段６２、中古遊技機管理サーバ７０のデータ送信手段７３から「点検作業日時」、「作業者（遊技機取扱主任者）名」、「点検作業された遊技機の製造番号」、「作業場所」に係るデータをダウンロードするダウンロード手段６３、ダウンロードされたデータを記憶しておく記憶手段６８からなる。また、中古遊技機管理用コンピュータ端末６１は、ダウンロード手段６３でダウンロードされたデータに基づいて、移動申請用の書類等を作成する申請書類作成手段６４を有する。これは、移動申請用書類等の決まった様式のファイルに「点検作業日時」、「作業者（遊技機取扱主任者）名」、「点検作業された遊技機の製造番号」のデータを自動的に埋め込む機能を有するものである。中古遊技機管理用コンピュータ端末６１の作業者は、残る必要事項を入力するだけで、移動申請用の書類等を簡単に作成することができる。
【００６７】
また、中古遊技機管理用コンピュータ端末６１は、記憶手段６８に記憶されたデータに基づいてＣＳＶファイルを生成するＣＳＶファイル作成手段６５、記憶手段６８に記憶されたデータに基づいて帳票を作成する帳票作成手段６６、及び記憶手段６８に記憶されたデータを並べ替えたり、検索式で指定したデータを抽出したりするソート・検索手段６７を有している。ＣＳＶファイル作成手段６５で生成されたＣＳＶファイルは、表計算ソフトウエアに取り込むことにより適宜加工することができる。また、申請書類作成手段６４や帳票作成手段６６で作成された書類や帳票は、プリンタなどの印刷手段６９によって紙媒体へ印刷できるように構成されている。
【図面の簡単な説明】
【００６８】
【図１】遊技機の流通に関するフロー及び事務処理を示す図である。
【図２】遊技機にＱＲコードが貼付された様子を示す図である。
【図３】遊技機取扱主任者に対して発行される証明書を示す図である。
【図４】ＱＲコードを読み取るためのハンディーターミナルを示す図である。
【図５】本発明に係る中古遊技機の点検確認作業の手順を示した図である。
【図６】本発明の中古遊技機流通システム１００の概要を模式的に示した図である。
【図７】本発明に係る中古遊技機管理システムの中古遊技機管理サーバのシステム構成主要部を示す図である。
【図８】本発明に係る中古遊技機管理システムの中古遊技機管理用コンピュータ端末のシステム構成主要部を示す図である。
【符号の説明】
【００６９】
１０・・・ネットワーク、２０・・・携帯電話、３０・・・ハンディーターミナル、５０・・・組合、５１・・・組合コンピュータ端末（中古遊技機管理用コンピュータ端末）、６０・・・中古遊技機販売業者、６１・・・中古遊技機販売業者コンピュータ端末（中古遊技機管理用コンピュータ端末）、６２・・・ログイン手段、６３・・・ダウンロード手段、６４・・・申請書類作成手段、６５・・・ＣＳＶファイル作成手段、６６・・・帳票作成手段、６７・・・ソート・検索手段、６８・・・記憶手段、６９・・・印刷手段、７０・・・中古遊技機管理サーバ、７１・・・アクセス許可手段、７２・・・データ収集手段、７３・・・データ送信手段、７４・・・記憶手段、８０・・・携帯電話会社運営サーバ、１００・・・中古遊技機流通システム
【図１】
2007111299.tif 000003
【図２】
2007111299.tif 000004
【図３】
2007111299.tif 000005
【図４】
2007111299.tif 000006
【図５】
2007111299.tif 000007
【図６】
2007111299.tif 000008
【図７】
2007111299.tif 000009
【図８】
2007111299.tif 000010